(57)【要約】【課題】  光源ユニットをより容易に交換できる照明器具を提供すること。【解決手段】  ＬＥＤ３２を具備する光源ユニット１と、光源ユニット１を支持する器具本体６と、を備える照明器具Ａ１であって、光源ユニット１は、第１弾性部材５を備え、器具本体６は、第２弾性部材７を備え、第１弾性部材５と第２弾性部材７とが係合および離脱可能であることにより、光源ユニット１が器具本体６に着脱可能である。【選択図】  図９
2020129513.tif 000002
【特許請求の範囲】
【請求項１】
ＬＥＤを具備する光源ユニットと、
前記光源ユニットを支持する器具本体と、を備える照明器具であって、
前記光源ユニットは、第１弾性部材を備え、
前記器具本体は、第２弾性部材を備え、
前記第１弾性部材と前記第２弾性部材とが係合および離脱可能であることにより、前記光源ユニットが前記器具本体に着脱可能である、照明器具。
【請求項２】
前記第１弾性部材は、前記光源ユニットが着脱される第１方向と直角である第２方向において互いに離間配置された一対の第１係合アームを有し、
前記第２弾性部材は、前記第２方向に離間した第２係合アームを有し、
前記一対の第１係合アームは、前記第１方向において前記器具本体が位置する側ほど前記第２方向外方に位置するように傾斜した第１傾斜部を有し、
前記一対の第２係合アームは、前記第２方向において前記光源ユニットが位置する側ほど前記第２方向内方に位置するように傾斜した第２傾斜部を有し、
前記光源ユニットの着脱時には、前記一対の第１係合アームの前記第１傾斜部の間を、前記一対の第２係合アームの前記第２傾斜部が通過する、請求項１に記載の照明器具。
【請求項３】
前記器具本体は、複数の部材と、これらの部材を互いに固定する複数のリベットと、を有する、請求項１または２に記載の照明器具。
【請求項４】
前記光源ユニットは、第１ケーブルおよび当該第１ケーブルの先端に設けられた第１コネクタを備え、
前記器具本体は、第２ケーブルおよび当該第２ケーブルの先端に設けられた第２コネクタを備え、
前記光源ユニットは、樹脂からなるユニット筐体を有し、
前記第１コネクタと前記第２コネクタとが嵌合する、請求項１ないし３のいずれかに記載の照明器具。
【請求項５】
複数の前記光源ユニットと、
前記複数の光源ユニットに電力供給する電源部と、をさらに備え、
前記電源部に対して、前記複数の光源ユニットが直列に接続されている、請求項１ないし４のいずれかに記載の照明器具。
【請求項６】
前記器具本体は、前記第１方向において前記光源ユニットとは反対側に露出する補強部材を備える、請求項１ないし５のいずれかに記載の照明器具。
【請求項７】
前記光源ユニットの発光状態を制御する制御部をさらに備えており、
前記制御部は、前記電源部と別体として構成されている、請求項１ないし６のいずれかに記載の照明器具。
【発明の詳細な説明】
【技術分野】
【０００１】
本発明は、照明器具に関する。
【背景技術】
【０００２】
ＬＥＤを有する光源ユニットを備えた種々の照明器具が提案されている。特許文献１には、従来の照明器具の一例が開示されている。同文献に開示された照明器具は、光源ユニットを支持する器具本体を備える。この照明器具においては、複数の光源ユニットが１つの取付板に固定されており、この取付板を器具本体に取り付けることによって、複数の光源ユニットが器具本体に支持されている。
【先行技術文献】
【特許文献】
【０００３】
【特許文献１】特開２０１７−１９１７３２号公報
【発明の概要】
【発明が解決しようとする課題】
【０００４】
前記照明器具では、具体的には、光源ユニットを構成するＬＥＤが搭載されたＬＥＤ基板が、取付板に固定されている。このため、複数の光源ユニットのいずれかを修理等の理由により取り外そうとしても、ＬＥＤ基板の取り外し等が強いられることとなり困難である。
【０００５】
本発明は、上記した事情のもとで考え出されたものであって、光源ユニットをより容易に交換できる照明器具を提供することをその課題とする。
【課題を解決するための手段】
【０００６】
本発明によって提供される照明器具は、ＬＥＤを具備する光源ユニットと、前記光源ユニットを支持する器具本体と、を備える照明器具であって、前記光源ユニットは、第１弾性部材を備え、前記器具本体は、第２弾性部材を備え、前記第１弾性部材と前記第２弾性部材とが係合および離脱可能であることにより、前記光源ユニットが前記器具本体に着脱可能である。
【０００７】
本発明の好ましい実施の形態においては、前記第１弾性部材は、前記光源ユニットが着脱される第１方向と直角である第２方向において互いに離間配置された一対の第１係合アームを有し、前記第２弾性部材は、前記第２方向に離間した第２係合アームを有し、前記一対の第１係合アームは、前記第１方向において前記器具本体が位置する側ほど前記第２方向外方に位置するように傾斜した第１傾斜部を有し、前記一対の第２係合アームは、前記第２方向において前記光源ユニットが位置する側ほど前記第２方向内方に位置するように傾斜した第２傾斜部を有し、前記光源ユニットの着脱時には、前記一対の第１係合アームの前記第１傾斜部の間を、前記一対の第２係合アームの前記第２傾斜部が通過する。
【０００８】
本発明の好ましい実施の形態においては、前記器具本体は、複数の部材と、これらの部材を互いに固定する複数のリベットと、を有する。
【０００９】
本発明の好ましい実施の形態においては、前記光源ユニットは、第１ケーブルおよび当該第１ケーブルの先端に設けられた第１コネクタを備え、前記器具本体は、第２ケーブルおよび当該第２ケーブルの先端に設けられた第２コネクタを備え、前記光源ユニットは、樹脂からなるユニット筐体を有し、前記第１コネクタと前記第２コネクタとが嵌合する。
【００１０】
本発明の好ましい実施の形態においては、複数の前記光源ユニットと、前記複数の光源ユニットに電力供給する電源部と、をさらに備え、前記電源部に対して、前記複数の光源ユニットが直列に接続されている。
【００１１】
本発明の好ましい実施の形態においては、前記器具本体は、前記第１方向において前記光源ユニットとは反対側に露出する補強部材を備える。
【００１２】
本発明の好ましい実施の形態においては、前記光源ユニットの発光状態を制御する制御部をさらに備えており、前記制御部は、前記電源部と別体として構成されている。
【発明の効果】
【００１３】
本発明によれば、光源ユニットをより容易に交換できる。
【００１４】
本発明のその他の特徴および利点は、添付図面を参照して以下に行う詳細な説明によって、より明らかとなろう。
【図面の簡単な説明】
【００１５】
【図１】本発明に係る照明器具の一例を示す斜視図である。
【図２】本発明に係る照明器具の一例を示す斜視図である。
【図３】本発明に係る照明器具の一例を示す分解斜視図である。
【図４】本発明に係る照明器具の一例を示す（ａ）は平面図であり、（ｂ）は正面図であり、（ｃ）は側面図であり、（ｄ）は底面図である。
【図５】本発明に係る照明器具の光源ユニットの一例を示す斜視図である。
【図６】本発明に係る照明器具の光源ユニットの一例を示す分解斜視図である。
【図７】本発明に係る照明器具の器具本体の一例を示す分解斜視図である。
【図８】図４（ａ）のＶＩＩＩ−ＶＩＩＩ線に沿う要部拡大断面図である。
【図９】光源ユニットの装着を示す要部拡大断面図である。
【図１０】本発明に係る照明器具の第１弾性部材の一例を示す斜視図である。
【図１１】本発明に係る照明器具の第２弾性部材の一例を示す斜視図である。
【発明を実施するための形態】
【００１６】
以下、本発明の好ましい実施の形態につき、図面を参照して具体的に説明する。
【００１７】
本開示における「第１」、「第２」、「第３」等の用語は、単にラベルとして用いたものであり、必ずしもそれらの対象物に順列を付することを意図していない。
【００１８】
図１〜図１１は、本発明に係る照明器具の一例を示している。本実施形態の照明器具Ａ１は、光源ユニット１、器具本体６、電源部８１および制御部８２を備えている。照明器具Ａ１は、たとえば室内の天井に取り付けられることによって、室内照明として用いられるものである。
【００１９】
図１は、照明器具Ａ１を示す斜視図である。図２は、照明器具Ａ１を示す斜視図である。図３は、照明器具Ａ１を示す分解斜視図である。図４は、照明器具Ａ１を示す（ａ）は平面図であり、（ｂ）は正面図であり、（ｃ）は側面図であり、（ｄ）は底面図である。図５は、照明器具Ａ１の光源ユニット１の一例を示す斜視図である。図６は、照明器具Ａ１の光源ユニット１の一例を示す分解斜視図である。図７は、照明器具Ａ１の器具本体６の一例を示す分解斜視図である。図８は、図４（ａ）のＶＩＩＩ−ＶＩＩＩ線に沿う要部拡大断面図である。図９は、光源ユニット１の装着を示す要部拡大断面図である。図１０は、照明器具Ａ１の第１弾性部材５の一例を示す斜視図である。図１１は、照明器具Ａ１の第２弾性部材７の一例を示す斜視図である。これらの図において、ｚ方向は、本発明の第１方向であり、ｙ方向は本発明の第２方向である。
【００２０】
＜光源ユニット１＞
光源ユニット１は、発光するユニットであり、照明器具Ａ１の光源である。照明器具Ａ１に備えられる照明器具Ａ１の個数は特に限定されず、１つでもよいし複数でもよい。以降の説明においては、特段の説明をする場合を除き、３つの光源ユニット１を備えた場合を例に説明する。
【００２１】
図３、図５および図６に示すように、本実施形態の光源ユニット１は、ユニット筐体２、複数の光源部３、透光カバー４および複数の第１弾性部材５を備えている。なお、光源ユニット１の具体的な構成は、以降に説明する構成に限定されず、光源素子としてＬＥＤ３２を備えるものであればよい。本実施形態の光源ユニット１は、ｘ方向を長手方向とする細長形状である。
【００２２】
＜ユニット筐体２＞
ユニット筐体２は、光源部３、透光カバー４および第１弾性部材５を支持するためのものである。本実施形態のユニット筐体２は、主部２１および一対の端板部２２を有する。
主部２１は、光源部３、透光カバー４および一対の第１弾性部材５を主に支持する部材である。主部２１は、ｘ方向を長手方向とする細長形状である。端板部２２は、主部２１のｘ方向両端に取り付けらるものであり、ユニット筐体２の主部２１および一対の端板部２２の材質は特に限定されない。ユニット筐体２の主部２１および一対の端板部２２の材質としては、たとえば、樹脂が好ましい。
【００２３】
＜光源部３＞
光源部３は、光源ユニット１の発光部位である。光源部３の構成は特に限定されず、本実施形態においては、ＬＥＤ基板３１および複数のＬＥＤ３２を有する。ＬＥＤ基板３１は、ｘ方向に細長く延びる帯状であり、たとえばガラスエポキシ樹脂からなる基材と当該基材に形成された配線パターンとを含む。
【００２４】
複数のＬＥＤ３２は、たとえばベアチップＬＥＤ、あるいはベアチップＬＥＤがリードフレームや基板等の支持部材に搭載され、蛍光物質を含む透光樹脂によって覆われたＬＥＤモジュール等である。本実施形態においては、ＬＥＤ３２は、ベアチップＬＥＤからの青色光と、励起された蛍光物質から発せられる黄色光とが混色することにより、白色光が発せられるＬＥＤモジュールである。複数のＬＥＤ３２は、ＬＥＤ基板３１上にｘ方向に沿って配列されている。
【００２５】
また、本実施形態においては、光源ユニット１は、３つの光源部３を有しているが、光源部３の個数は特に限定されない。図示された例においては、３つの光源部３は、互いに平行となるようにｙ方向並べられている。３つの光源部３は、ユニット筐体２の主部２１に取り付けられている。
【００２６】
図３および図５に示すように、本実施形態の光源ユニット１は、第１ケーブル３５および第１コネクタ３６を有する。第１ケーブル３５は、たとえば光源部３のＬＥＤ基板３１に接続されており、光源部３に電力を供給するためのものである。第１コネクタ３６は、第１ケーブル３５の一端に取り付けられており、器具本体６側の後述の第２コネクタ８４と接続するためのものである。
【００２７】
＜透光カバー４＞
透光カバー４は、光源部３からの光を透過させる材質からなり、ユニット筐体２に支持された光源部３をｚ方向下方から覆っている。透光カバー４の材質は特に限定されず、たとえば半透明の乳白色の樹脂からなる。透光カバー４の形状は特に限定されず、本実施形態においては、ｘ方向に長く延びており、ｘ方向視において略コの字状である。透光カバー４は、ｙ方向両端縁が、ユニット筐体２の主部２１に取り付けられており、ユニット筐体２に対して着脱可能である。
【００２８】
＜第１弾性部材５＞
第１弾性部材５は、光源ユニット１を器具本体６に着脱可能に取り付けるためのものである。本実施形態においては、一対の第１弾性部材５がｘ方向に互いに離間してユニット筐体２の主部２１のｚ方向上面に取り付けられている。なお、光源ユニット１が備える第１弾性部材５の個数は特に限定されない。
【００２９】
図８、図９および図１０に示すように、本実施形態の第１弾性部材５は、第１ベース部５１および一対の第１係合アーム５２を有する。第１弾性部材５の材質は特に限定されず、後述する作用を奏しうるような弾性材料であればよい。本実施形態においては、第１弾性部材５は、金属からなり、たとえば金属板材料に切断加工および折り曲げ加工を施すことによって形成されている。
【００３０】
第１ベース部５１は、一対の第１係合アーム５２を支持する部位であり、ユニット筐体２の主部２１の上面に取り付けられる。第１ベース部５１の形状は特に限定されず、本実施形態においては、ｚ方向視において略矩形環状である。
【００３１】
一対の第１係合アーム５２は、第１ベース部５１のｙ方向両側部分にそれぞれ繋がっており、ｙ方向に互いに離間している。本実施形態の第１係合アーム５２は、第１起立部５２１、第１中間部５２２および第１先端部５２３を有する。
【００３２】
第１起立部５２１は、第１ベース部５１に繋がっており、第１ベース部５１からｚ方向に起立した部位である。本実施形態においては、第１起立部５２１には、第１開口５２５が形成されている。第１開口５２５は、第１起立部５２１をｙ方向に貫通しており、ｘ方向に細長い略矩形状である。
【００３３】
第１中間部５２２は、第１起立部５２１に対して傾斜しており、ｙ方向視において第１開口５２５のｚ方向上端に繋がっている。第１中間部５２２は、ｘ方向から見て、ｚ方向下方（ユニット筐体２の主部２１側）に位置するほど、ｙ方向外方に位置するように傾斜している。すなわち、一対の第１係合アーム５２の第１中間部５２２同士は、ｘ方向から見て、ｚ方向下方（ユニット筐体２の主部２１側）に位置するほど、ｙ方向において互いに離間するように傾斜している。
【００３４】
第１先端部５２３は、第１起立部５２１に対して傾斜しており、第１起立部５２１のｚ方向上端に繋がっている。第１先端部５２３は、ｘ方向から見て、ｚ方向上方（ユニット筐体２の主部２１とは反対側）に位置するほど、ｙ方向外方に位置するように傾斜している。すなわち、一対の第１係合アーム５２の第１先端部５２３同士は、ｘ方向から見て、ｚ方向上方（ユニット筐体２の主部２１とは反対側）に位置するほど、ｙ方向において互いに離間するように傾斜している。
【００３５】
＜器具本体６＞
器具本体６は、図１、図３、図４および図８に示すように、光源ユニット１を支持するとともに、照明器具Ａ１を天井等に設置する際に、天井等に取り付けられる部位である。本実施形態においては、器具本体６は、図３および図７に示すように、一対の第１縦断部６１、一対の第２縦断部６２、第３縦断部６３、補強部材６４、一対の端板部６５および複数の第２弾性部材７を有する。
【００３６】
図７に示すように、一対の第１縦断部６１、一対の第２縦断部６２、第３縦断部６３、補強部材６４および一対の端板部６５は、器具本体６を構成する複数の部材の一例に相当する。本実施形態においては、複数の部材である一対の第１縦断部６１、一対の第２縦断部６２、第３縦断部６３、補強部材６４および一対の端板部６５が、複数のリベット６９によって互いに固定されている。なお、図中においては複数のリベット６９は、複数のリベット６９１、複数のリベット６９２、複数のリベット６９３、複数のリベット６９４および複数のリベット６９５に区別されて示されている。複数のリベット６９は、たとえば樹脂や金属からなる。
【００３７】
一対の第１縦断部６１、一対の第２縦断部６２、第３縦断部６３、補強部材６４および一対の端板部６５の材質は特に限定されず、本実施形態においては、たとえば金属板材料からなる。
【００３８】
一対の第１縦断部６１は、各々がｘ方向に縦断する形状であり、ｙ方向両側に互いに離間して配置されている。本実施形態においては、第１縦断部６１は、支持板部６１１および反射部６１２を有する。
【００３９】
支持板部６１１は、ｚ方向下側に光源ユニット１を支持するための部位である。図示された例においては、支持板部６１１は、ｘ方向に長く延びる矩形板状の部位である。反射部６１２は、支持板部６１１に対してｙ方向外方に位置している。反射部６１２は、ｘ方向から見て、ｚ方向において下方に位置するほどｙ方向外方に位置するように傾斜している。反射部６１２は、光源ユニット１からの光を所望の方向に反射することが期待される部位であり、たとえば白色や金属色等の反射率が高い色であることが好ましい。
【００４０】
一対の第２縦断部６２は、ｙ方向において一対の第１縦断部６１の間に配置されている。一対の第２縦断部６２は、各々がｘ方向に縦断する形状であり、ｙ方向に互いに離間して配置されている。本実施形態においては、第２縦断部６２は、２つの反射部６２２を有する。
【００４１】
２つの反射部６２２は、各々がｙ方向およびｚ方向に対して傾いた部位である。２つの反射部６２２は、ｘ方向から見て、ｚ方向において下方に位置するほどｙ方向において互いに近づくように傾斜している。反射部６２２は、光源ユニット１からの光を所望の方向に反射することが期待される部位であり、たとえば白色や金属色等の反射率が高い色であることが好ましい。
【００４２】
第３縦断部６３は、ｘ方向に縦断する形状であり、ｙ方向において一対の第２縦断部６２の間に配置されている。本実施形態においては、第３縦断部６３は、支持板部６３１を有する。
【００４３】
支持板部６３１は、ｚ方向下側に光源ユニット１を支持するための部位である。図示された例においては、支持板部６３１は、ｘ方向に長く延びる矩形板状の部位である。
【００４４】
補強部材６４は、第３縦断部６３に対してｚ方向上側に配置されており、ｘ方向に長く延びる形状である。また、図示された例においては、補強部材６４は、一対の折り返し部６４１を有する。一対の折り返し部６４１は、補強部材６４のｙ方向両端縁がｚ方向に折り曲げられた部位である。一対の折り返し部６４１が設けられていることにより、補強部材６４の曲げ剛性が高められている。補強部材６４は、たとえば図２に示すように、複数のボルト６４２によって照明器具Ａ１を天井等に取り付ける際に、複数のボルト６４２によって天井等に直接固定される部材である。
【００４５】
一対の端板部６５は、図７に示すように、ｘ方向両端に配置されている。一対の端板部６５は、一対の第１縦断部６１、一対の第２縦断部６２および第３縦断部６３をｘ方向両側から塞いでいる。端板部６５の形状は特に限定されず、図示された例においては、ｘ方向から見て、略台形状である。
【００４６】
図７に示すように、一対の端板部６５は、複数のリベット６９１によって一対の第１縦断部６１の反射部６１２のｘ方向両端に固定されている。また、一対の端板部６５は、複数のリベット６９３によって、一対の第１縦断部６１の支持板部６１１に固定されている。
【００４７】
一対の端板部６５は、複数のリベット６９２によって一対の第２縦断部６２の反射部６２２のｘ方向両端に固定されている。
【００４８】
第３縦断部６３の支持板部６３１は、一対のリベット６９４によって一対の端板部６５のｚ方向上側端に固定されている。
【００４９】
補強部材６４は、複数のリベット６９５によって、第３縦断部６３の支持板部６３１に固定されている。
【００５０】
このように、器具本体６を構成する複数の部材である一対の第１縦断部６１、一対の第２縦断部６２、第３縦断部６３、補強部材６４および一対の端板部６５は、溶接やボルト留め等の手法を用いることなく、複数のリベット６９によって互いに固定されている。
【００５１】
＜第２弾性部材７＞
第２弾性部材７は、光源ユニット１を器具本体６に着脱可能に取り付けるためのものである。本実施形態においては、一対の第２弾性部材７がｘ方向に互いに離間して器具本体６の第１縦断部６１の支持板部６１１または第３縦断部６３の支持板部６３１のｚ方向下面に取り付けられている。なお、器具本体６が備える第２弾性部材７の個数は特に限定されない。本実施形態においては、照明器具Ａ１が３つの光源ユニット１を備えることに対応して、３対（６個）の第２弾性部材７が設けられている。
【００５２】
図８、図９および図１１に示すように、本実施形態の第２弾性部材７は、第２ベース部７１および一対の第２係合アーム７２を有する。第２弾性部材７の材質は特に限定されず、後述する作用を奏しうるような弾性材料であればよい。本実施形態においては、第２弾性部材７は、金属からなり、たとえば金属板材料に切断加工および折り曲げ加工を施すことによって形成されている。
【００５３】
第２ベース部７１は、一対の第２係合アーム７２を支持する部位であり、器具本体６の第１縦断部６１の支持板部６１１または第３縦断部６３の支持板部６３１の下面に取り付けられる。第２ベース部７１の形状は特に限定されず、本実施形態においては、ｚ方向視において略矩形状である。
【００５４】
一対の第２係合アーム７２は、第２ベース部７１のｙ方向両側部分にそれぞれ繋がっており、ｙ方向に互いに離間している。本実施形態の第２係合アーム７２は、第２起立部７２１、第２中間部７２２および第２先端部７２３を有する。
【００５５】
第２起立部７２１は、第２ベース部７１に繋がっており、第２ベース部７１からｚ方向に起立した部位である。
【００５６】
第２中間部７２２は、第２起立部７２１のｚ方向下端に繋がっており、第２起立部７２１に対して傾斜している。第２中間部７２２は、ｘ方向から見て、ｚ方向下方（支持板部６１１および支持板部６３１とは反対側）に位置するほど、ｙ方向外方に位置するように傾斜している。すなわち、一対の第２係合アーム７２の第２中間部７２２同士は、ｘ方向から見て、ｚ方向下方（支持板部６１１および支持板部６３１とは反対側）に位置するほど、ｙ方向において互いに離間するように傾斜している。
【００５７】
第２先端部７２３は、第２起立部７２１に対して傾斜しており、第２中間部７２２のｚ方向下端に繋がっている。第２先端部７２３は、ｘ方向から見て、ｚ方向下方（支持板部６１１および支持板部６３１とは反対側）に位置するほど、ｙ方向内方に位置するように傾斜している。すなわち、一対の第２係合アーム７２の第２先端部７２３同士は、ｘ方向から見て、ｚ方向下方（支持板部６１１および支持板部６３１とは反対側）に位置するほど、ｙ方向において互いに接近するように傾斜している。本実施形態においては、第２先端部７２３は、先端に向かうほどｘ方向寸法が小さくなるくさび状の部位を有する。
【００５８】
＜電源部８１＞
電源部８１は、たとえば外部から入力された商用の１００Ｖ交流電力を光源ユニット１の光源部３のＬＥＤ３２を発光させるのに適した直流電力に変換するためのものである。電源部８１の具体的構成は特に限定されず、たとえばトランス、コンデンサ、抵抗器等を適宜有する。本実施形態においては、電源部８１は、図２および図４に示すように、第１縦断部６１の支持板部６１１に配置されている。
【００５９】
＜制御部８２＞
制御部８２は、たとえば使用者からの操作等にしたがって、光源ユニット１の光源部３のＬＥＤ３２の発光状態を制御するためのものである。本実施形態においては、制御部８２は、制御基板８２１および複数の制御部品８２２を有する。制御基板８２１は、たとえばガラスエポキシ樹脂からなる基材と、当該基材に形成された配線パターンを有する。複数の制御部品８２２は、制御回路を構成する電子部品等であり、たとえば制御ＩＣや通信部品あるいはセンサ部品等である。制御部８２の制御機能は特に限定されず、たとえば無線通信を用いた無線調光、ケーブル等を介した有線調光（ＤＡＬＩ（Degital Addressable Lighting Interface）制御，ＰＷＭ（Pulse Width Modulation）制御）、人感センサを用いた点灯制御等が挙げられる。なお、制御部８２は、電源部８１の動作を制御する構成であってもよいし、電源部８１から出力された電力を適宜変換制御するものであってもよい。
【００６０】
本実施形態においては、図２および図３に示すように、電源部８１に第２ケーブル８３が接続されている。第２ケーブル８３は、電源部８１からの電力を３つの光源ユニット１に供給するためのものである。本実施形態においては、第２ケーブル８３は、電源部８１から、支持板部６１１に設けられた貫通孔を経由して支持板部６１１のｚ方向下側に敷設されている。また、支持板部６１１のｚ方向下側から第１縦断部６１に設けられた貫通孔と隣に位置する第２縦断部６２に設けられた貫通孔を経由して、第３縦断部６３の支持板部６３１のｚ方向下側に敷設される。さらに、第２縦断部６２に設けられた貫通孔を経由して、電源部８１とはｙ方向において反対側の第１縦断部６１の支持板部６１１のｚ方向下側に敷設される。
【００６１】
第２ケーブル８３には、３つの第２コネクタ８４が接続されている。第２コネクタ８４の個数は、光源ユニット１の個数に対応している。３つの第２コネクタ８４は、一対の第１縦断部６１の支持板部６１１のｚ方向下側および第３縦断部６３の支持板部６３１のｚ方向下側に配置されている。各第２コネクタ８４は、各光源ユニット１の第１コネクタ３６にそれぞれ嵌合して接続されている。
【００６２】
＜光源ユニット１の脱着＞
図３および図９は、光源ユニット１が器具本体６から取り外された状態を示している。同図においては、光源ユニット１は、器具本体６の支持板部６１１（または支持板部６３１）および第２弾性部材７に対してｚ方向下方に離間している。
【００６３】
光源ユニット１を器具本体６に取り付けるには、図９に示すように、光源ユニット１と器具本体６とをｚ方向において互いに接近させる。たとえば、器具本体６が天井等に固定されている場合、光源ユニット１を器具本体６に向けて上昇させる。この際、第１コネクタ３６と第２コネクタ８４とは、接続を完了しておくことが好ましい。
【００６４】
光源ユニット１を上昇させると、第１弾性部材５の一対の第１係合アーム５２の第１先端部５２３と第２弾性部材７の一対の第２係合アーム７２の第２先端部７２３とが、互いに接近する。同図に示すように一対の第１係合アーム５２の第１先端部５２３同士は、ｘ方向から見て、ｚ方向上方（ユニット筐体２の主部２１とは反対側）に位置するほど、ｙ方向において互いに離間するように傾斜している。また、一対の第２係合アーム７２の第２先端部７２３同士は、ｘ方向から見て、ｚ方向下方（支持板部６１１および支持板部６３１とは反対側）に位置するほど、ｙ方向において互いに接近するように傾斜している。そして、一対の第１先端部５２３のｚ方向上端同士のｙ方向における距離は、一対の第２先端部７２３のｚ方向下端同士のｙ方向における距離よりも大きい。これにより、一対の第２先端部７２３が、一対の第１先端部５２３に案内されるように、一対の第１先端部５２３の間を通過する格好となる。
【００６５】
また、一対の第１先端部５２３のｚ方向下端同士のｙ方向における距離は、一対の第２先端部７２３のｚ方向上端同士のｙ方向における距離よりも小さい。このため、光源ユニット１を上昇させることにより、一対の第１先端部５２３と一対の第２先端部７２３とがｙ方向から見て重なる位置関係になると、一対の第１先端部５２３がｙ方向に互いに離間し、一対の第２先端部７２３がｙ方向に互いに接近するように、一対の第１係合アーム５２と一対の第２係合アーム７２とがそれぞれ弾性変形する。
【００６６】
そして、ｙ方向から見て、一対の第１先端部５２３が一対の第２先端部７２３を通過してｚ方向上方に位置すると、一対の第２係合アーム７２の第２先端部７２３および第２中間部７２２が、一対の第１係合アーム５２の第１開口５２５にそれぞれ嵌まり込む。この嵌まり込みにおいては、ｙ方向に互いに離間するように弾性変形していた一対の第１係合アーム５２と、ｙ方向に互いに接近するように弾性変形していた一対の第２係合アーム７２とが、それぞれ弾性変形前の形状に略復帰する。
【００６７】
すなわち、図８に示すように、第２係合アーム７２の第２中間部７２２および第２先端部７２３の一部ずつが、第１開口５２５を通じて、第１係合アーム５２の第１起立部５２１よりもｙ方向外方に突出する状態となる。この状態で、光源ユニット１を上昇させていた使用者が光源ユニット１から手を離すと、光源ユニット１の自重によって、一対の第１係合アーム５２の第１中間部５２２が、一対の第２係合アーム７２の第２中間部７２２に当接し、これらに支えられる格好となる。以上より、光源ユニット１の器具本体６への取り付けが完了する。
【００６８】
また、光源ユニット１を器具本体６から取り外す際には、光源ユニット１をｚ方向下方に引き下ろすと、一対の第１係合アーム５２がｙ方向に互いに離間し、一対の第２係合アーム７２がｙ方向に互いに接近するように弾性変形しつつ、一対の第１弾性部材５が一対の第２弾性部材７からｚ方向下方に離脱する。これにより、光源ユニット１を器具本体６から取り外すことができる。
【００６９】
次に、照明器具Ａ１の作用について説明する。
【００７０】
本実施形態によれば、図８および図９に示すように、光源ユニット１が第１弾性部材５を有し、器具本体６が第２弾性部材７を有している。第１弾性部材５と第２弾性部材７とが係合および離脱可能であることにより、光源ユニット１は、器具本体６に対して着脱可能である。したがって、修理等の理由により光源ユニット１を交換等する際に、光源ユニット１をより容易に交換することができる。
【００７１】
図８および図９を参照して説明したように、一対の第１係合アーム５２が一対の第１先端部５２３を有し、一対の第２係合アーム７２が一対の第２先端部７２３を有することにより、光源ユニット１の取り付けおよび取り外しを、より容易且つ確実に行うことができる。特に、図９に示す光源ユニット１の取り付けにおいて、光源ユニット１が器具本体６の所定位置に対してｙ方向において若干ずれていたとしても、上述した態様で一対の第１先端部５２３および一対の第２先端部７２３が傾いていることにより、光源ユニット１のｙ方向におけるずれを吸収して、一対の第１係合アーム５２と一対の第２係合アーム７２を係合させることが可能である。また、図１１に示すように、第２先端部７２３がテーパ形状である部分を有することにより、一対の第２先端部７２３を一対の第１先端部５２３の間により確実に誘い込む効果が期待される。
【００７２】
また、図８に示すように、光源ユニット１を器具本体６に取り付けた状態においては、光源ユニット１の自重によって、一対の第１係合アーム５２の第１中間部５２２が、一対の第２係合アーム７２の第２中間部７２２に当接し、これらに支えられる格好となる。これにより、光源ユニット１が器具本体６によってより確実に支持可能であるとともに、光源ユニット１（第１弾性部材５）の器具本体６（第２弾性部材７）に対するｙ方向における位置が適切に矯正される、いわゆるセルフセンタリング効果が期待される。
【００７３】
さらに、第１弾性部材５と第２弾性部材７との係合によって光源ユニット１が器具本体６に固定されていることにより、第１弾性部材５および第２弾性部材７以外のボルト等の固定部材は不要である。したがって、光源ユニット１を器具本体６から取り外す際には、光源ユニット１をｚ方向下方に引き下ろすことにより、一対の第１係合アーム５２および一対の第２係合アーム７２の弾性変形が引き起こされ、より容易に光源ユニット１を取り外すことができる。
【００７４】
図７に示すように、器具本体６を構成する複数の部材である一対の第１縦断部６１、一対の第２縦断部６２、第３縦断部６３、補強部材６４および一対の端板部６５は、溶接やボルト留め等の手法を用いることなく、複数のリベット６９によって互いに固定されている。これにより、器具本体６をより小さな部品に分割して構成することが可能であり、器具本体６の製造がより容易となる。また、複数のリベット６９による固定により、器具本体６の製造における寸法精度を向上することができる。
【００７５】
図３に示すように、光源ユニット１の交換作業等においては、第１コネクタ３６と第２コネクタ８４とが嵌合した状態で、光源ユニット１が器具本体６から取り外された状態となる。この際、光源ユニット１の大部分を占めるユニット筐体２が樹脂からなることによって、たとえば金属からなる場合と比べて軽量であることにより、第１コネクタ３６、第２コネクタ８４、第１ケーブル３５および第２ケーブル８３によって、光源ユニット１を一時的に吊り下げた状態で支持することが可能である。これは、光源ユニット１の交換作業等をより容易に行うのに好ましい。
【００７６】
図２および図３に示すように、複数の光源ユニット１は、第１ケーブル３５、第１コネクタ３６、第２ケーブル８３および第２コネクタ８４によって、１つの電源部８１に対して直列に接続されている。すなわち、光源ユニット１の各々は、専用の電源部を備えていない。これにより、光源ユニット１の交換に伴って電源部の交換が強いられることがなく、コストの低減に好ましい。
【００７７】
図２および図７に示すように、器具本体６は、補強部材６４を有する。器具本体６を天井等に取り付ける際には、補強部材６４が天井に取り付けられる。このため、器具本体６のうち補強部材６４以外の部材の意図しない箇所が、不当に変形する等の不具合を抑制することができる。なお、補強部材６４が、折り返し部６４１を有することにより、補強部材６４の曲げ剛性を向上させることは、器具本体６の変形抑制に有利である。
【００７８】
制御部８２が電源部８１とは別体のユニットとして設けられていることにより、制御部８２の機能として、たとえば無線通信を用いた無線調光、ケーブル等を介した有線調光（ＤＡＬＩ制御，ＰＷＭ制御）、人感センサを用いた点灯制御等を追加あるいは変更する際に、制御部８２を交換すればよく、電源部８１は継続して使用することができる。これは、照明器具Ａ１のコストを低減するのに好ましい。
【００７９】
本発明に係る照明器具は、上述した実施形態に限定されるものではない。本発明に係る照明器具の各部の具体的な構成は、種々に設計変更自在である。
【符号の説明】
【００８０】
Ａ１    ：照明器具
１      ：光源ユニット
２      ：ユニット筐体
３      ：光源部
４      ：透光カバー
５      ：第１弾性部材
６      ：器具本体
７      ：第２弾性部材
２１    ：主部
２２    ：端板部
３１    ：ＬＥＤ基板
３２    ：ＬＥＤ
３５    ：第１ケーブル
３６    ：第１コネクタ
５１    ：第１ベース部
５２    ：第１係合アーム
６１    ：第１縦断部
６２    ：第２縦断部
６３    ：第３縦断部
６４    ：補強部材
６５    ：端板部
７１    ：第２ベース部
７２    ：第２係合アーム
８１    ：電源部
８２    ：制御部
８３    ：第２ケーブル
８４    ：第２コネクタ
５２１  ：第１起立部
５２２  ：第１中間部
５２３  ：第１先端部
５２５  ：第１開口
６１１  ：支持板部
６１２  ：反射部
６２２  ：反射部
６３１  ：支持板部
６４１  ：折り返し部
６４２  ：ボルト
６９，６９１，６９２，６９３，６９４，６９５：リベット
７２１  ：第２起立部
７２２  ：第２中間部
７２３  ：第２先端部
８２１  ：制御基板
８２２  ：制御部品
【図１】
2020129513.tif 000003
【図２】
2020129513.tif 000004
【図３】
2020129513.tif 000005
【図４】
2020129513.tif 000006
【図５】
2020129513.tif 000007
【図６】
2020129513.tif 000008
【図７】
2020129513.tif 000009
【図８】
2020129513.tif 000010
【図９】
2020129513.tif 000011
【図１０】
2020129513.tif 000012
【図１１】
2020129513.tif 000013